(57)【要約】【課題】  簡単に、アクチュエーターの姿勢を保持できる光ピックアップ装置を実現する。【解決手段】  ハウジング４０と、フォーカス方向及びトラッキング方向に移動可能な、対物レンズ２３を備えたアクチュエーター５０と、を有し、アクチュエーター５０が、ハウジング４０に接着固定される光学ピックアップ装置において、ハウジング４０の接着面４１が凸部１０１を有し、アクチュエーター５０の接着面５３が凸部１０１に嵌合している凹部５２を有し、上記凸部１０１と凹部５２との間に接着剤が流れ込んでいる。【選択図】  図２
2005332504.tif 000002
【特許請求の範囲】
【請求項１】
基体と、
対物レンズをフォーカス方向及びトラッキング方向に移動可能に保持した対物レンズ駆動手段と、を有し、
上記対物レンズ駆動手段が、基体に接着固定される光学ピックアップ装置において、
上記基体の接着面と対物レンズ駆動手段の接着面とのうちの一方が凸部を有し、他方がこの凸部に嵌合する凹部を有し、
上記凸部と凹部とが、接着剤を介して接着されていることを特徴とする光ピックアップ装置。
【請求項２】
上記凹部が対物レンズ駆動手段の接着面に形成されており、
上記凸部が基体の接着面に形成されていることを特徴とする請求項１に記載の光ピックアップ装置。
【請求項３】
上記凸部が対物レンズ駆動手段の接着面の端部に設けられた曲げ部であり、
上記凹部が基体の接着面に形成されていることを特徴とする請求項１に記載の光ピックアップ装置。
【請求項４】
上記凸部と凹部との間に接着剤を流し込むための接着剤塗布穴が、上記基体に設けられていることを特徴とする請求項１から３の何れか１項に記載の光ピックアップ装置。
【請求項５】
上記凸部と凹部とが嵌合されたときに、凸部と凹部との間に、対物レンズ駆動手段の空間調整が可能な程度の隙間ができることを特徴とする請求項１から４の何れか１項に記載の光ピックアップ装置。
【請求項６】
基体と、
対物レンズをフォーカス方向及びトラッキング方向に移動可能に保持した対物レンズ駆動手段と、を有する光学ピックアップ装置の製造方法において、
基体の接着面と対物レンズ駆動手段の接着面とのうちの一方に形成された凸部を、他方に形成された凹部に嵌合して仮位置規制する仮規制工程と、
基体と対物レンズ駆動手段とが凹凸嵌合された状態で、対物レンズ駆動手段を位置調整する調整工程と、
凸部と凹部との間に接着剤を流し入れ、硬化させることで、基体と位置調整された対物レンズ駆動手段とを接着固定する接着工程と、を有することを特徴とする光ピックアップ装置の製造方法。
【請求項７】
請求項１から請求項５の何れか１項に記載の光学ピックアップ装置を搭載した光記録再生装置。
【発明の詳細な説明】
【技術分野】
【０００１】
本発明は、光ピックアップ装置およびその製造方法、光記録再生装置に関し、特に、対物レンズ駆動手段の位置ずれが生じにくい光ピックアップ装置およびその製造方法、光記録再生装置に関する。
【背景技術】
【０００２】
従来から、光ディスクを用いた情報の記録、再生が行われているが、情報の記録、再生の際には、光ピックアップ装置によりビーム光を光ディスクのグルーブに焦点をあてて照射し、その光の反射光を利用して記録、再生している。このとき、ビーム光は対物レンズによって集光されるので、対物レンズは、アクチュエーターにより、正確にグルーブに追従し、焦点がずれないように精密に位置制御されている。
【０００３】
従来の光ピックアップ装置について図５から図７を用いて説明する。
【０００４】
図５に示す光ピックアップ装置は、ＤＶＤおよびＣＤの記録再生を行う一般的なスリムコンボピックアップ装置である。なお、（ａ）が裏側（光ディスクと対向する面の反対側の面）を、（ｂ）が表側（光ディスクと対向する面）を示す。
【０００５】
光学ピックアップ装置は、ハウジング１０、ＤＶＤレーザーユニット１１、ＣＤレーザーユニット１２、ビームスプリッター１３、コリメートレンズ１４、立上げミラー１５、アクチュエーター２０からなり、ＤＶＤレーザーユニット１１またはＣＤレーザーユニット１２からの光を光ディスクの記録面に照射し、その反射光から情報を取り出すものである。
【０００６】
ハウジング１０は、光ピックアップ装置の基体となるもので、その他の部材はハウジング１０に固定される。また、ＤＶＤレーザーユニット１１はＤＶＤ用の光源であり、ＣＤレーザーユニット１２はＣＤ用の光源である。ＤＶＤレーザーユニット１１内の半導体レーザーから放射された光の場合は、ビームスプリッター１３で反射され、ＣＤレーザーユニット１２内の半導体レーザーから放射された光の場合は、ビームスプリッター１３を透過する。ビームスプリッター１３により反射または透過した光は、コリメートレンズ１４で平行光となり立上げミラー１５で反射し、後述するアクチュエーター２０に搭載された対物レンズ２３に導かれる。
【０００７】
アクチュエーター２０は、アクチュエーターベース２１、対物レンズ２３、トラッキング磁気回路（図示せず）、フォーカシング磁気回路（図示せず）からなり、光ディスクの任意の箇所に光の焦点があたるように、対物レンズ２２をトラッキング方向（ラジアル方向：rad方向）、フォーカシング方向（高さ方向）に移動させる、あるいは、rad回転方向への回転(rad方向および高さ方向と直交するtan方向を軸とする回転)をさせるものである。
【０００８】
アクチュエーターベース２１は、アクチュエーター２０のその他の部材を搭載するための基部である。対物レンズ２３は、レーザー光を光ディスクに集光して、光ディスクの情報を記録・再生するものである。トラッキング磁気回路は、トラッキングコイル、マグネットからなり、対物レンズ２３をトラッキング方向にシフトさせて、光ディスクのグルーブから外れないようにするものである。フォーカシング磁気回路もトラッキングコイル、マグネット（図示せず）からなり、対物レンズ２２をフォーカシング方向に調節して、光ディスクにレーザー光の焦点が合うようにするものである。これにより、対物レンズ２３は、光ディスク面上に常時焦点を結ぶように、光ディスクに追従する。
【０００９】
光ディスク面上で反射した、信号を含んだ還りの光は、行きと同じ経路をたどり、ＤＶＤレーザーユニット１１またはＣＤレーザーユニット１２上のホログラムから分離してフォトダイオードに受光し電気情報に変換するように構成されている。
【００１０】
このように、光ピックアップ装置は、アクチュエーター２０上に設けられた対物レンズ２３を精密に調節することによって、レーザー光を光ディスクに集光する。したがって、アクチュエーター２０をハウジング１０に固定するときも、位置と向きを精密に調整しなければならない。
【００１１】
以下に、この光ピックアップ装置において、ハウジング１０にアクチュエーター２０を空間調整して取り付ける方法を説明する。
【００１２】
まず、図５（ｂ）に示すように、ハウジング１０の表側に、予め落下防止用のひさし部１０２を４ケ所設けておき、ひさし部１０２で囲まれた範囲にアクチュエーター２０をセットする。これにより、アクチュエーター２０がひさし部１０２に係止され、位置を仮規制される。次に、調整装置で、アクチュエーター２０を空間に持ち上げて空間調整することで、対物レンズ２３の位置と向きを調整し、レーザー光の焦点が光ディスクに合うようにする。すなわち、光ディスク上のレーザー光がスポット歪みのないレーザースポットになるように、対物レンズ２３をアクチュエーターベース２１ごと、tan、rad方向、高さ方向、tan回転方向、rad回転方向の５方向の空間調整を実施する。
【００１３】
調整後、ハウジング１０とアクチュエーター２０とを接着剤で接着する。接着剤を塗布する接着溜まり部３０１〜３０５は、ハウジング１０およびアクチュエーター２０の側面（高さ方向に伸びる面）に設けられている。ここで、接着溜まり部３０１〜３０５を図６、図７に示す。図６（ａ）は図５（ｂ）のＢ−Ｂ’断面を示しており、図６（ｂ）は図６（ａ）の拡大図を示している。図７は、図５（ｂ）のＣ−Ｃ’断面である。
【００１４】
図６、図７に示されるように、接着溜まり部３０１〜３０５は、アクチュエーター２０がハウジング１０からずれないように接着させるために、rad方向および高さ方向にバランスがとれるように設けられている。つまり、アクチュエーター２０の重心を中心として、接着溜まり部３０１〜３０５を、図５において左右（rad方向）対称になるように２つずつ配置し、接着溜まり部３０１と３０３、３０２と３０４とが上下（高さ方向）対称となるように設ける。
【００１５】
なお、図７に示すように、ハウジング１０はアクチュエーターベース２１に向かう斜面を形成しており、ハウジング１０とアクチュエーターベース２１との接着面の間は、高さ方向において中心が狭く外に向かってだんだん広くなっている。接着溜まり部３０１〜３０４は、この斜面に注入された接着剤が溜まって形成されている。
【００１６】
一方、接着溜まり部３０５は、図６に示すように、ハウジング１０側面とアクチュエーターベース２１側面に接着剤を注入して硬化させたものである。
【００１７】
接着溜まり部３０１〜３０５は、初めに表側の接着溜り部３０１、３０２に、紫外線硬化の接着剤（UV接着剤）を流し込み、紫外線硬化し仮固定され、その後、ハウジング１０裏面方向より接着溜まり部３０３〜３０５に紫外線硬化の接着剤（UV接着剤）を流し込み紫外線硬化し補強固定することで形成される。
【００１８】
また、特許文献１に、接着後の位置ずれの小さい部材の接続固定技術として、孔または切り欠きが設けられた第１部材と、前記孔または切り欠き内に挿入可能な突起が設けられた第２部材とを、前記穴または切り欠き内に前記突起を挿入した状態で、前記第１部材と前記第２部材とを接着剤を介して接続固定する方法が記載されている。
【特許文献１】特開２００３−２５７０４９（公開日：平成１５年９月１２日）
【発明の開示】
【発明が解決しようとする課題】
【００１９】
しかしながら、従来のアクチュエーター２０の接着方法では、接着箇所、接着量が接着溜まり部によって一定でなくなり、アンバランスが発生しやすくなる。接着剤は、環境特性や剥離現象等により、接着の状態が経時変化する可能性が極めて大きいため、このような接着箇所、接着量のアンバランスは、接着面と同方向（高さ方向：図６（ｂ）の矢印Ａ）への部材のずれを生じることとなり、アクチュエーター２０の姿勢（すなわち、対物レンズ２３の姿勢）の最適な傾きからのずれを発生させる。アクチュエーター２０の傾きは、対物レンズ２３の傾きに影響し、対物レンズ２３の傾きがレーザー光の傾角ずれを生じさせ、光ディスクの記録再生のエラーを起こすこととなるので、この場合、光情報記録再生の信頼性が損なわれる。
【００２０】
また、バランス良く接着させるためには、上下、左右のバランスを取り（アクチュエーターの重心を中心として、アクチュエーターベースの接着部を左右対称、上下対称とする）ことがポイントとなるが、スリムピックアップにおいては、立上げミラー１５による
死角部への接着部の形成ができず、また、スリムピックアップ搭載領域のドライブ側が外形規制されるため、重量バランスを考慮した対称系の接着構造が、容易に形成しにくい。
【００２１】
本発明は、上記問題点に鑑みてなされたものであり、簡単に、アクチュエーターの姿勢を保持できる光ピックアップ装置、およびその製造方法、光記録再生装置を提供することを目的とする。
【課題を解決するための手段】
【００２２】
本発明に係る光ピックアップ装置は、上記課題を解決するために、基体と、対物レンズをフォーカス方向及びトラッキング方向に移動可能に保持した対物レンズ駆動手段と、を有し、上記対物レンズ駆動手段が、基体に接着固定される光学ピックアップ装置において、上記基体の接着面と対物レンズ駆動手段の接着面とのうちの一方が凸部を有し、他方がこの凸部に嵌合する凹部を有し、上記凸部と凹部とが、接着剤を介して接着されていることを特徴としている。
【００２３】
これにより、基体と対物レンズ駆動手段との接着面が、凹凸嵌合して係止されながら接着し、さらに、接着面とそれに直交する面とにわたり、３次元的に接着されるので、わずかな接着部分で、簡単に、非常に強固に接着できる。
【００２４】
従来は、基体と対物レンズ駆動手段との接着面が平面的であったので、固定後、接着面と同じ方向へのずれが生じやすくなっていたが、本発明の光ピックアップ装置では、このようなずれが生じにくくなる。さらに、接着面のずれに伴い、対物レンズが傾くこと（回転）も防がれるので、対物レンズの向きがずれることも防げる。
【００２５】
特に、対物レンズはわずかなずれが、レーザー光の光ディスクにおける焦点のずれとなり、記録・再生の不良が生じることとなるため、本発明の、対物レンズ駆動手段の位置ずれが生じにくい光ピックアップ装置は、良好な記録・再生を行えるものとなる。
【００２６】
さらに、従来の接着方法と同様の方法で、簡単に位置ずれが生じにくい接着ができる。
【００２７】
なお、ここで言う「凸部」や「凹部」は、接着面から突出しているあるいはへこんでいれば形状は限定されるものではなく、例えば接着面端部に形成された曲げ部も凸部に含まれる。
【００２８】
また、本発明に係る光ピックアップ装置は、上記課題を解決するために、上記凹部が対物レンズ駆動手段の接着面に形成されており、上記凸部が基体の接着面に形成されていることを特徴としている。
【００２９】
これにより、接着面にほぼ直交した方向にへこんだ凹部が対物レンズ駆動手段に形成され、接着面にほぼ直交した方向に伸びる基体の凸部と嵌合し、この嵌合部分が接着される。この凹凸の嵌合および接着により、対物レンズ駆動手段の接着面方向への移動・傾きが制限されるため、位置ずれを防ぐことができる。よって、対物レンズの傾き、ずれを防ぐことができる。
【００３０】
また、本発明に係る光ピックアップ装置は、上記課題を解決するために、上記凸部が対物レンズ駆動手段の接着面端部に設けられた曲げ部であり、上記凹部が基体の接着面に形成されていることを特徴としている。
【００３１】
これにより、対物レンズ駆動手段の接着面端部からほぼ直交した方向に突出した曲げ部が、基体の接着面にほぼ直交した方向にへこんだ凹部と嵌合し、この嵌合部分が接着される。したがって、この凹凸の嵌合により、対物レンズ駆動手段が接着面方向への移動することが制限されるため、位置ずれを防ぐことができる。よって、対物レンズの傾き、ずれを防ぐことができる。
【００３２】
本発明に係る光ピックアップ装置は、上記課題を解決するために、上記凸部と凹部との間に接着剤を流し込むための接着剤塗布穴が、上記基体に設けられていることを特徴としている。
【００３３】
これにより、接着剤塗布穴から、凹部と凸部との間に接着剤を挿入でき、均等に凹部と凸部との間に接着剤を行き渡らせることができるので、確実に凹凸部の接着が行える。
【００３４】
また、本発明に係る光ピックアップ装置は、上記課題を解決するために、上記凹部と凸部とが嵌合されたときに、凹部と凸部との間に対物レンズ駆動手段の空間調整が可能な程度の隙間ができることを特徴としている。
【００３５】
これにより、凹部と凸部を嵌合することで対物レンズ駆動手段を仮に位置規制したあと空間調整し、最適な位置・姿勢になった状態で接着剤で最終的に固定することが可能となる。
【００３６】
また、本発明に係る光ピックアップ装置の製造方法は、上記課題を解決するために、基体と、フォーカス方向及びトラッキング方向に移動可能な、対物レンズを備えた対物レンズ駆動手段と、を有する光学ピックアップ装置の製造方法において、基体および対物レンズ駆動手段の接着面のうちの一方に形成された凸部を、他方に形成された凸部に嵌合して仮位置規制する仮規制工程と、基体と対物レンズ駆動手段とが凹凸嵌合された状態で、対物レンズ駆動手段を位置調整する調整工程と、凸部と凹部との間に接着剤を流し、硬化させることで、基体と位置調整された対物レンズ駆動手段とを接着固定する接着工程と、を有することを特徴としている。
【００３７】
これにより、対物レンズ駆動手段を、空間調節した後に、凹凸の嵌合部を接着するだけで、基体と対物レンズ駆動手段との接着面が、平面とそれに直交する面とにわたり、わずかな接着部分で、３次元的に接着できる。したがって、新たな工程を加えることなく簡単に、非常に強固な接着ができる。
【００３８】
従来は、基体と対物レンズ駆動手段との接着面が平面的であったので、固定後、この接着面と同じ方向へのずれが生じやすくなっていたが、本発明の光ピックアップ装置では、このようなずれが生じにくくなる。さらに、接着面のずれに伴い、対物レンズが傾くこと（回転）も防がれるので、対物レンズの向きがずれることも防げる。
【００３９】
特に、対物レンズはわずかなずれが、レーザー光の光ディスクにおける焦点のずれとなり、記録・再生の不良が生じることとなるため、本発明の、対物レンズ駆動手段の位置ずれが生じにくい光ピックアップ装置は、良好な記録・再生を行えるものとなる。
【００４０】
また、本発明に係る光記録再生装置は、上記課題を解決するために、上記光学ピックアップ装置を搭載したことを特徴としている。
【００４１】
これにより、良好な記録・再生が行える光記録再生装置となる。
【発明の効果】
【００４２】
本発明に係る光ピックアップ装置は、以上のように、基体と、対物レンズをフォーカス方向及びトラッキング方向に移動可能に保持した対物レンズ駆動手段と、を有し、上記対物レンズ駆動手段が、基体に接着固定される光学ピックアップ装置において、上記基体の接着面と対物レンズ駆動手段の接着面とのうちの一方が凸部を有し、他方がこの凸部に嵌合する凹部を有し、上記凸部と凹部とが、接着剤を介して接着されている構成である。
【００４３】
また、本発明に係る光ピックアップ装置の製造方法は、以上のように、基体と、対物レンズをフォーカス方向及びトラッキング方向に移動可能に保持した対物レンズ駆動手段と、を有する光学ピックアップ装置の製造方法において、基体および対物レンズ駆動手段の接着面のうちの一方に形成された凸部を、他方に形成された凹部に嵌合して仮位置規制する仮規制工程と、基体と対物レンズ駆動手段とが凹凸嵌合された状態で、対物レンズ駆動手段を位置調整する調整工程と、凸部と凹部との間に接着剤を流し入れ、硬化させることで、基体と位置調整された対物レンズ駆動手段とを接着固定する接着工程と、を有している。
【００４４】
これにより、基体と対物レンズ駆動手段との接着面が、平面とそれに直交する面とにわたり、３次元的に接着されるので、非常に強固に接着できる。したがって、レンズ駆動手段の位置ずれが生じにくくなり、良好な記録・再生を行える。さらに、従来の接着方法により、簡単に位置ずれが生じにくい接着ができる。
【発明を実施するための最良の形態】
【００４５】
まず、本発明の元となる光ピックアップ装置について説明する。
【００４６】
図５に示す光ピックアップ装置は、ＤＶＤおよびＣＤの記録再生を行う一般的なスリムコンボピックアップ装置である。なお、（ａ）が裏側（光ディスクと対向する面の反対側の面）を、（ｂ）が表側（光ディスクと対向する面）を示す。
【００４７】
光学ピックアップ装置は、ハウジング（基体）１０、ＤＶＤレーザーユニット１１、ＣＤレーザーユニット１２、ビームスプリッター１３、コリメートレンズ１４、立上げミラー１５、アクチュエーター（対物レンズ駆動手段）２０からなり、ＤＶＤレーザーユニット１１またはＣＤレーザーユニット１２からの光を光ディスクの記録面に照射し、その反射光から情報を取り出すものである。
【００４８】
ハウジング１０は、光ピックアップ装置の基体となるもので、その他の部材はハウジング１０に固定される。また、ＤＶＤレーザーユニット１１はＤＶＤ用の光源であり、ＣＤレーザーユニット１２はＤＶＤ用の光源である。ＤＶＤレーザーユニット１１またはＣＤレーザーユニット１２内の半導体レーザーから放射された光は、ビームスプリッター１３で反射され、コリメートレンズ１４で平行光となり立上げミラー１５で反射し、後述するアクチュエーター２０に搭載された対物レンズ２３に導かれる。
【００４９】
アクチュエーター２０は、アクチュエーターベース２１、対物レンズ２３、トラッキング磁気回路（図示せず）、フォーカシング磁気回路（図示せず）からなり、光ディスクの任意の箇所に光の焦点があたるように、対物レンズ２２をトラッキング方向（ラジアル方向：rad方向）、フォーカシング方向（高さ方向）に移動、あるいは、rad回転方向への回転(rad方向および高さ方向と直交するtan方向を軸とする回転)をさせるものである。
【００５０】
アクチュエーターベース２１は、アクチュエーター２０のその他の部材を搭載するための基部である。アクチュエーターベース２１は、その他の部材を搭載する底面と、底面にほぼ直行する４つの側面からなる。また、アクチュエーターベース２１は、上記側面の外側（接着面）をハウジング１０に接着することで固定される。
【００５１】
対物レンズ２３は、レーザー光を光ディスクに集光して、光ディスクの情報を記録・再生するものである。トラッキング磁気回路は、トラッキングコイル、マグネットからなり、対物レンズ２３をトラッキング方向にシフトさせて、光ディスクのグルーブから外れないようにするものである。フォーカシング磁気回路もトラッキングコイル、マグネット（図示せず）からなり、対物レンズ２２をフォーカシング方向に調節して、光ディスクにレーザー光の焦点が合うようにするものである。これにより、対物レンズ２３は、光ディスク面上に常時焦点を結ぶように、光ディスクに追従する。
【００５２】
光ディスク面上で反射した、信号を含んだ還りの光は、行きと同じ経路をたどり、ＤＶＤレーザーユニット１１またはＣＤレーザーユニット１２上のホログラムから分離してフォトダイオードに受光し電気情報に変換するように構成されている。
【００５３】
このように、光ピックアップ装置は、アクチュエーター２０上に設けられた対物レンズ２３を精密に調節することによって、レーザー光を光ディスクに集光するので、アクチュエーター２０をハウジング１０に固定するときに、位置と向きを精密に調整しなければならない。
【００５４】
以下に、この光ピックアップ装置において、ハウジング１０にアクチュエーター２０を空間調整して取り付ける方法を説明する。
【００５５】
まず、図５（ｂ）に示すように、ハウジング１０の表側に、予め落下防止用のひさし部１０２を４ケ所設けておき、ひさし部１０２で囲まれた範囲にアクチュエーター２０をセットする。これにより、アクチュエーター２０がひさし部１０２に係止され、位置を仮規制される。次に、調整装置で、アクチュエーター２０を空間に持ち上げて空間調整することで、対物レンズ２３の位置と向きを調整し、レーザー光の焦点が光ディスクに合うようにする。すなわち、光ディスク上のレーザー光がスポット歪みのないレーザースポットになるように、対物レンズ２３をアクチュエーターベース２１ごと、tan方向、rad方向、高さ方向、tan回転方向、rad回転方向の５方向の空間調整を実施する。言い換えれば、対物レンズ２３における、tan方向、rad方向、高さ方向の位置ずれを修正し、tan回転方向、rad回転方向の回転ずれ（傾きずれ）を修正する。
【００５６】
調整後、ハウジング１０とアクチュエーター２０とを接着剤で接着する。接着剤を塗布する接着溜まり部３０１〜３０５は、ハウジング１０およびアクチュエーター２０の側面（高さ方向に伸びる面）に設けられている。ここで、接着溜まり部３０１〜３０５を図６、図７に示す。図６（ａ）は図５（ｂ）のＢ−Ｂ’断面を示しており、図６（ｂ）は図６（ａ）の拡大図を示している。図７は、図５（ｂ）のＣ−Ｃ’断面である。
【００５７】
図６、図７に示されるように、接着溜まり部３０１〜３０５は、アクチュエーター２０がハウジング１０からずれないように接着させるために、rad方向および高さ方向にバランスがとれるように設けられている。つまり、アクチュエーター２０の重心を中心として、接着溜まり部３０１〜３０５を、図５において左右（rad方向）対称になるように２つずつ配置し、接着溜まり部３０１と３０３、３０２と３０４とが上下（高さ方向）対称となるように設ける。
【００５８】
なお、図７に示すように、ハウジング１０はアクチュエーターベース２１に向かう斜面を形成しており、ハウジング１０とアクチュエーターベース２１との接着面の間は、高さ方向において中心が狭く外に向かってだんだん広くなるように設けられている。接着溜まり部３０１〜３０４は、この斜面に注入された接着剤が溜まって形成されている。
【００５９】
一方、接着溜まり部３０５は、図６に示すように、ハウジング１０側面とアクチュエーターベース２１側面に接着剤を注入して硬化させたものである。
【００６０】
接着溜まり部３０１〜３０５は、初めに表側の接着溜り部３０１、３０２に、紫外線硬化の接着剤（UV接着剤）を流し込み、紫外線硬化し仮固定され、その後、ハウジング１０裏面方向より接着溜まり部３０３〜３０５に紫外線硬化の接着剤（UV接着剤）を流し込み紫外線硬化し補強固定することで形成される。
【００６１】
次に、本発明の一実施の形態を図１および２を用いて説明する。図１に示す光ピックアップ装置は、ＤＶＤおよびＣＤの記録再生を行うスリムコンボピックアップ装置である。なお、（ａ）が裏側（光ディスクと対向する面の反対側の面）を、（ｂ）が表側（光ディスクと対向する面）を示す。図２（ａ）は、図１（ｂ）のＢ−Ｂ’断面であり、図２（ｂ）はその拡大図である。
【００６２】
本実施の形態は、ハウジングにアクチュエーターを空間調整して取り付ける方法以外は上記した本発明の元となる光ピックアップ装置と同じである。以下に、ハウジングにアクチュエーターを空間調整して取り付ける方法を説明する。
【００６３】
なお、本実施の形態では、ハウジング１０の代わりにハウジング４０を用い、アクチュエーター２０の代わりに、アクチュエーター５０を使用する。
【００６４】
ハウジング４０は、図２に示すとおり、ハウジング４０の接着面４１において、アクチュエーター５１の接着面５３に向かって突出した凸部１０１を設けた点で、ハウジング１０と異なる。一方、アクチュエーター５０は、アクチュエーターベース５１に、凸部１０１と嵌合し得る凹部５２を有している点でアクチュエータ２０と異なる。
【００６５】
アクチュエーター５０をハウジング４０に取り付ける際、まず、仮規制工程で、図１のハウジング４０に、予め落下防止用のひさし部１０２を４ケ所設け、ひさし部１０２によりアクチュエーター５０が係止されるようにアクチュエーター５０をセットする。これにより、アクチュエーター５０が位置を仮規制される。このとき、ハウジング４０とアクチュエーターベース５１との接着面４１・５３において、アクチュエーターベース２１の側面に設けられた凹部５２に、ハウジング４０に設けられた凸部１０１に嵌合する。なお、凹部５２、凸部１０１は、アクチュエーター５０の空間調整ができるように、ゆるめに嵌合されるように凹凸の大きさを設定しておく。
【００６６】
次に、調整工程で、調整装置で、アクチュエーター５０を空間に持ち上げ、レーザー光が光ディスクに集光するようにレンズを配置する。このとき、光ディスク上のレーザー光がスポット歪みのないレーザースポットになるように、対物レンズ２３をアクチュエーターベース５１ごと、rad、tan方向、高さ方向、tan回転方向、rad回転方向の５方向の空間調整を実施する。言い換えれば、アクチュエーター５１における、tan方向、rad方向、高さ方向の位置ずれを修正し、tan回転方向、rad回転方向の回転ずれ（傾きずれ）を修正する。
【００６７】
調整後、接着工程で、ハウジング４０とアクチュエーター５０との間に、本発明の元となる光ピックアップ装置と同様の方法で、紫外線硬化の接着剤（UV接着剤）を流し込み、紫外線硬化させることで、表側の接着溜り部３０１、３０２を形成し、仮固定する。その後、ハウジング４０裏面方向より斜面に紫外線硬化の接着剤（UV接着剤）を流し込み紫外線硬化して接着溜まり部３０３〜３０４を形成し、補強固定する。さらに、接着溜まり部３０５に接着剤を流し込むことで、凹部５２と凸部１０１との間の空間にも接着剤が流れ込み、凹部５２と凸部１０１との間に流れ込んだ接着剤が紫外線硬化することで、アクチュエーター５０がハウジング４０に一層強固に固定される。
【００６８】
このようにして、ハウジング４０とアクチュエーター５０とを、凹部５２と凸部１０１との間に流れ込んだ接着剤によって接着させることで、ハウジング４０とアクチュエーター５０との接着面が３次元的になる。つまり、ハウジング４０の接着面４１における凸部１０１が形成されていない部分とアクチュエーター５０との間等で形成される高さ方向に広がる面、言い換えれば、tan回転方向の回転軌道が形成する面（tan回転方向の面）の接着だけでなく、凸部１０１と凹部５２との間で形成される上記高さ方向の面（すなわち、tan回転方向の面）と直交する面（tan方向とrad方向とで形成する面）の接着がされ、３次元的に接着されるので、非常に強固に接着できる。
【００６９】
上記本発明の元となる光ピックアップ装置は、接着面が高さ方向の面だけであったので、固定後、高さ方向（主にＡ方向）へのずれや、tan回転方向への回転ずれが生じやすくなっていたが、本発明の光ピックアップ装置では、高さ方向と直交する面の接着によりこのようなずれが生じにくくなる。
【００７０】
特に、対物レンズはわずかなずれが、レーザー光の光ディスクにおける焦点のずれとなり、記録・再生の不良が生じることとなるため、本発明の、対物レンズ駆動手段の位置ずれが生じにくい光ピックアップ装置は、良好な記録・再生を行えるものとなる。
【００７１】
また、本発明の凹部凸部は、以上のように、ハウジング４０に凸部１０１を設け、アクチュエーター５０に凹部５２を設ける必要はなく、ハウジングに凹部を設け、アクチュエーターに凸部を設けてもよい。さらに、凸部がアクチュエーターの端部であってもよい。
【００７２】
ここで、アクチュエーターの端部を凸部とする実施の形態を図３および図４を用いて説明する。図３、図４は、図２（ｂ）と同じ部分を示す図面である。
【００７３】
なお、本実施の形態では、ハウジング１０の代わりにハウジング６０を用い、アクチュエーター２０の代わりに、アクチュエーター７０を使用する。
【００７４】
ハウジング６０は、図３に示すとおり、ハウジング１０において、アクチュエーター７０の側面と対向する面に凹部１０３を設けたものである。一方、アクチュエーター７０は、アクチュエーターベース７１における、少なくとも接着面の端部が接着面から突出するように、ほぼ直角に曲がっている点で、アクチュエータベース２１と異なる。なお、曲げ部分であるＺ曲げ部（曲げ部）２０２は凹部１０３にはめ込まれるように形成されている。
【００７５】
そして、アクチュエーター７０をハウジング６０に取り付ける際、仮規制工程で、ハウジング６０とアクチュエーターベース７１との接着面において、ハウジング６０の側面に設けられた凹部１０３に、アクチュエーターベース７１のＺ曲げ部２０２を嵌合させる。なお、凹部１０３、Ｚ曲げ部２０２は、アクチュエーター７０の空間調整ができる程度に、ゆるい嵌合となるように適切な大きさを設定しておく。
【００７６】
そして、調整工程で上記した方法と同様にして空間調整後、接着溜まり部３０１〜３０４を形成し、さらに、凹部１０３に接着剤を流し込むことで、凹部１０３とＺ曲げ部２０２との間の空間にも接着剤が流れ込む。そして、凹部１０３とＺ曲げ部２０２との間に流れ込んだ接着剤が紫外線硬化されることで、接着溜まり部３０５を設けられ、アクチュエーター７０がハウジング６０に一層強固に固定される。
【００７７】
なお、Ｚ曲げ部２０２と凹部１０３とを深めに形成する場合は、奥まで接着剤が届きにくくなるので、図４のように、ハウジング６０に、裏側面から凹部１０３の奥の部分に通じる接着剤塗布穴１０４を設けてもよい。これにより、接着剤塗布穴１０４から接着剤を注入することで、凹部１０３とＺ曲げ部２０２との間に均等に接着剤を供給することができる。
【００７８】
このようにして、ハウジング６０とアクチュエーター７０とを、凹部１０３とＺ曲げ部２０２との間に流れ込んだ接着剤によって接着させることで、ハウジング６０とアクチュエーター７０との接着面が３次元的になる。つまり、ハウジング６０の凹部１０３の以外の部分とアクチュエーター５０との間等で形成される高さ方向の接着面と、Ｚ曲げ凸部２０２と凹部１０３との間で形成される接着面と直交する面の接着により、３次元的に接着されるので、非常に強固に接着できる。
【００７９】
本実施の形態の光ピックアップ装置では、以上のように、凹凸嵌合部分の接着によりこのようなずれが生じにくくなるので、対物レンズ２３のずれを防ぎ、ひいてはレーザー光の光ディスクにおける焦点のずれ、記録・再生の不良を防ぐ。よって、良好に記録・再生を行える。
【００８０】
さらに、従来の接着方法と比べて複雑な工程がいらず、簡単に位置ずれが生じにくい接着ができる。
【００８１】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８２】
また、本発明は、以下の構成とすることもできる。
【００８３】
アクチュエーターユニット(以下、アクチュエーターと称する)を空間調整固定するタイプの光学ピックアップ装置において、アクチュエーターを、光学ピックアップ装置の基体を構成するフレーム(以下、ハウジングと称する)に接着固定するアクチュエーターベースの接着面とハウジングの接着面の間に接着剤を塗布する構成において、流し込んだ接着剤が部材間の空間に流れ込み、左右(RAD方向)、上下（高さ方向）、tan回転方向（θＸ方向）、rad回転方向（θＹ方向）を、規制されるように接着固定される構造を特徴とする第１の光学ピックアップ装置。
【００８４】
第１の光ピックアップ装置において、ハウジングには、アクチュエーターの調整固定前にハウジングの仮組みを行う位置規制手段を有することを特徴とする第２の光学ピックアップ装置。
【００８５】
第１または第２の光学ピックアップ装置において、位置規制手段に、ハウジングの一部に形成された凸部とアクチュエーターベース側面の凹部とを勘合利用することを特徴とする第３の光学ピックアップ装置。
【００８６】
第１または第２の光学ピックアップ装置において、位置規制手段に、ハウジングの側面の一部に形成された凹部をアクチュエーターベース端面の一部をハウジングの凹部へ勘合利用することを特徴とする第４の光学ピックアップ装置。
【００８７】
第４の光学ピックアップ装置において、アクチュエーターの位置調整後、ハウジング凹部とアクチュエーターベース端面との空間に接着剤を流し込む為の接着剤塗布穴が、ハウジングに設けられていることを特徴とする第５の光学ピックアップ装置。
【００８８】
第１から第５のうちのいずれかの光学ピックアップ装置を搭載した電子機器。
【産業上の利用可能性】
【００８９】
本発明の光ピックアップ装置は、対物レンズ駆動手段を基体に強固に接着でき、良好に情報を記録再生できるので、種々の光ピックアップ装置、光記録再生装置に適用できる。特に、薄型の光ピックアップ装置は、強固な対物レンズ駆動手段の接着が難しいが、本発明の光ピックアップ装置を適用すれば、安定に情報を記録再生できる。
【図面の簡単な説明】
【００９０】
【図１】本発明の実施形態に係る光ピックアップ装置の概略構成を示す平面図であり、（ａ）は裏側を（ｂ）は表側を示す。
【図２】（ａ）は、図１の光ピックアップ装置のＢ−Ｂ’断面を示す断面図であり、（ｂ）は（ａ）のＤ部を拡大した図面である。
【図３】本発明の他の実施形態に係る光ピックアップ装置の断面の要部を示す側面図である。
【図４】本発明の他の実施形態に係る光ピックアップ装置の断面の要部を示す側面図である。
【図５】従来の光学ピックアップ装置の概略構成を示す平面図であり、（ａ）は裏側を（ｂ）は表側を示す。
【図６】（ａ）は、図５の光ピックアップ装置のＢ−Ｂ’断面を示す断面図であり、（ｂ）は（ａ）のＤ部を拡大した図面である。
【図７】図５の光ピックアップ装置のＣ−Ｃ’断面を示す断面図であり
【符号の説明】
【００９１】
２３  対物レンズ
４０  ハウジング（基体）
５０  アクチュエーター（対物レンズ駆動手段）
５１  アクチュエーターベース（対物レンズ駆動手段）
５２  凹部
６０  ハウジング（基体）
７０  アクチュエーター（対物レンズ駆動手段）
７１  アクチュエーターベース（対物レンズ駆動手段）
１０１  凸部
１０３  凹部
２０２  Ｚ曲げ部（凸部）
３０５  接着剤
【図１】
2005332504.tif 000003
【図２】
2005332504.tif 000004
【図３】
2005332504.tif 000005
【図４】
2005332504.tif 000006
【図５】
2005332504.tif 000007
【図６】
2005332504.tif 000008
【図７】
2005332504.tif 000009